(57)【要約】【課題】移動中に発生したイベントに関する情報を利用者にできるだけ迅速かつ確実に認識させること。【解決手段】１つの態様において、携帯電子機器は、加速度検出部と、前記加速度検出部の検出結果により測定した加速度パターンに基づいて移動状態を判別する制御部とを有し、前記制御部は、前記移動状態と判別しているときに報知したイベントに対して利用者の応答がない場合には、前記イベントを再報知する。携帯電子機器は、例えば、加速度パターンについて、移動パターンから停止パターンへの変化を検出した場合、移動状態と判別しているとき（移動モードで動作中）に報知したイベントがあるかどうかを判定する。【選択図】図１
2015211278.tif 000002
【特許請求の範囲】
【請求項１】
加速度検出部と、
前記加速度検出部の検出結果により測定した加速度パターンに基づいて移動状態を判別する制御部と
を有し、
前記制御部は、前記移動状態と判別しているときに報知したイベントに対して利用者の応答がない場合には、前記イベントを再報知する携帯電子機器。
【請求項２】
加速度検出部を有する携帯電子機器によって実行される制御方法であって、
前記加速度検出部の検出結果により測定した加速度パターンに基づいて移動状態を判別するステップと、
前記移動状態である判別しているときに報知したイベントに対して利用者の応答がない場合には、前記イベントを再報知するステップと
を含む制御方法。
【請求項３】
加速度検出部を有する携帯電子機器に、
前記加速度検出部の検出結果により測定した加速度パターンに基づいて移動状態を判別するステップと、
前記移動状態である判別しているときに報知したイベントに対して利用者の応答がない場合には、前記イベントを再報知するステップと
を実行させる制御プログラム。
【発明の詳細な説明】
【技術分野】
【０００１】
本出願は、携帯電子機器、制御方法及び制御プログラムに関する。
【背景技術】
【０００２】
特許文献１には、加速度センサから出力される検知信号に基づいて、ユーザの移動状態を判定し、その判定結果に応じて、バイブレータによって不在着信を報知する電子機器が記載されている。
【先行技術文献】
【特許文献】
【０００３】
【特許文献１】特開２００６−３０３５６５号公報
【発明の概要】
【発明が解決しようとする課題】
【０００４】
電子機器が有する報知に関する制御には改善の余地がある。
【課題を解決するための手段】
【０００５】
１つの態様に係る携帯電子機器は、加速度検出部と、前記加速度検出部の検出結果により測定した加速度パターンに基づいて移動状態を判別する制御部とを有し、前記制御部は、前記移動状態と判別しているときに報知したイベントに対して利用者の応答がない場合には、前記イベントを再報知する。
【０００６】
１つの態様に係る制御方法は、加速度検出部を有する携帯電子機器によって実行される制御方法であって、前記加速度検出部の検出結果により測定した加速度パターンに基づいて移動状態を判別するステップと、前記移動状態である判別しているときに報知したイベントに対して利用者の応答がない場合には、前記イベントを再報知するステップとを含む。
【０００７】
１つの態様に係る制御プログラムは、加速度検出部を有する携帯電子機器に、前記加速度検出部の検出結果により測定した加速度パターンに基づいて移動状態を判別するステップと、前記移動状態である判別しているときに報知したイベントに対して利用者の応答がない場合には、前記イベントを再報知するステップとを実行させる。
【図面の簡単な説明】
【０００８】
【図１】図１は、実施形態に係るスマートフォンの機能構成を示すブロック図である。
【図２】図２は、報知したイベントのデータの一例を示す図である。
【図３】図３は、本実施形態に係るスマートフォンによる処理の流れを示すフローチャートである。
【図４】図４は、本実施形態に係るスマートフォンによる処理の流れを示すフローチャートである。
【図５】図５は、本実施形態に係るスマートフォンによる処理の流れを示すフローチャートである。
【発明を実施するための形態】
【０００９】
本発明を実施するための実施形態を、図面を参照しつつ詳細に説明する。以下では、本発明に係る携帯電子機器の一例として、スマートフォンについて説明する。
【００１０】
（実施形態）
実施形態に係るスマートフォン１の機能構成の一例を説明する。図１は、実施形態に係るスマートフォンの機能構成を示すブロック図である。以下の説明においては、同様の構成要素に同一の符号を付すことがある。さらに、重複する説明は省略することがある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、ＧＰＳ受信機１８とを備える。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。ディスプレイ２Ａが表示する文字、画像、記号、及び図形等を含む画面には、ロック画面と呼ばれる画面、ホーム画面と呼ばれる画面、アプリケーションの実行中に表示されるアプリケーション画面が含まれる。ホーム画面は、デスクトップ、待受画面、アイドル画面、標準画面、アプリ一覧画面又はランチャー画面と呼ばれることもある。
【００１４】
実施形態において、ディスプレイ２Ａは、スマートフォン１において発生したイベントの発生を利用者に報知するためのテキスト又は画像などを表示する。
【００１５】
タッチスクリーン２Ｂは、タッチスクリーン２Ｂに対する指、ペン、又はスタイラスペン等（以下、単に「指」という）の接触を検出する。タッチスクリーン２Ｂは、複数の指、ペン、又はスタイラスペン等がタッチスクリーン２Ｂに接触した位置を検出することができる。タッチスクリーン２Ｂは、タッチスクリーン２Ｂ（タッチスクリーンディスプレイ２）に対する指の接触を、接触された場所のタッチスクリーンディスプレイ２上での位置とともに、コントローラ１０に通知する。
【００１６】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００１７】
コントローラ１０（スマートフォン１）は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０（スマートフォン１）が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１８】
ボタン３は、利用者からの操作入力を受け付ける。ボタン３の数は、単数であっても、複数であってもよい。
【００１９】
照度センサ４は、スマートフォン１の周囲光の照度を検出する。照度は、照度センサ４の受光素子の単位面積あたりに照射された光束に等しい。照度センサ４は、例えば、ディスプレイ２Ａの輝度の調整に用いられる。
【００２０】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａが顔に近づけられたことを検出する。照度センサ４及び近接センサ５は、１つのセンサとして構成されていてもよい。照度センサ４は、近接センサとして用いられてもよい。
【００２１】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００２２】
レシーバ７は、音出力部である。レシーバ７は、コントローラ１０から送信される音信号を音として出力する。レシーバ７は、例えば、通話時に相手の声を出力するために用いられる。マイク８は、音入力部である。マイク８は、利用者の音声等を音信号へ変換してコントローラ１０へ送信する。
【００２３】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２４】
ストレージ９に記憶されるプログラムには、フォアグランド又はバックグランドで実行されるアプリケーションと、アプリケーションの動作を支援する制御プログラムとが含まれる。フォアグランドで実行されるアプリケーションは、例えば、ディスプレイ２Ａに画面が表示される。制御プログラムには、例えば、ＯＳが含まれる。アプリケーション及び制御プログラムは、通信ユニット６による無線通信又は非一過的な記憶媒体を介してストレージ９にインストールされてもよい。
【００２５】
ストレージ９は、制御プログラム９Ａ、電話アプリケーション９Ｂ、メールアプリケーション９Ｃ、スケジュール管理アプリケーション９Ｄ、加速度パターンデータ９Ｅ、報知イベントデータ９Ｆ、及び設定データ９Ｚなどを記憶する。
【００２６】
制御プログラム９Ａは、スマートフォン１の各種制御に関する機能を提供する。制御プログラム９Ａは、加速度センサ１５の検出結果に基づいて移動状態を判別するための機能を提供する。例えば、制御プログラム９Ａは、加速度センサ１５の検出結果に基づいて、スマートフォン１に作用する振動及び動きを測定し、振動及び動きの測定結果（以下、加速度パターンと表記する）に基づいて、利用者の移動状態を判別する。
【００２７】
制御プログラム９Ａは、利用者の移動状態に対応する動作モードで処理を実行するための機能を提供する。例えば、動作モードには、利用者の移動状態に対応する移動モード、及び利用者の停止状態に対応する停止モードが含まれる。移動状態とは、加速度パターンの変化が、例えば、利用者が歩行及び乗り物などにより移動中である場合に検出される加速度パターンの変化（以下、移動パターンと表記する）と所定の確度をもって合致する状態に該当する。停止状態とは、加速度パターンの変化が、例えば、利用者が立ち止まっている場合などに検出される加速度パターンの変化（以下、停止パターンと表記する）と所定の確度をもって合致する場合に該当する。移動モードとは、利用者が移動状態にあると推測される状況下において、各種処理を実行するスマートフォン１の内部の制御状態である。停止モードとは、利用者が停止状態にあると推測される状況下において、各種処理を実行するスマートフォン１の内部の制御状態である。動作モードには、スマートフォン１が安定した場所に静置されている状態の静止状態に対応する静止モードを含むことができる。静止状態とは、例えば、スマートフォン１が机などの安定した場所に静置されている場合などに検出される加速度パターンの変化（以下、停止パターンと表記する）と、加速度パターンの変化とが所定の確度をもって合致する場合に該当する。
【００２８】
制御プログラム９Ａは、加速度パターンの変化が検出された場合、動作モードを変更するかどうかを判定するための機能を提供する。例えば、制御プログラム９Ａは、移動状態にあると判別した後、移動パターンから停止パターンへの加速度パターンの変化を検出した場合、停止パターンが一定時間以上継続するかを判定する。制御プログラム９Ａは、判定の結果、停止パターンが一定時間以上継続しない場合には、移動状態にあるという判別結果を維持し、動作モードの変更を実行しない。これとは反対に、制御プログラム９Ａは、判定の結果、停止パターンが一定時間以上継続する場合には、停止状態にあると判別し、動作モードを移動モードから停止モードに変更する。
【００２９】
制御プログラム９Ａは、移動状態と判別しているときに報知したイベントに対して利用者の応答がない場合には、イベントを再報知するための機能を提供する。イベントには、例えば、メール受信、電話の着信、スケジュールのポップアップ通知などが含まれる。制御プログラム９Ａは、例えば、移動状態と判別しているとき（移動モードで動作中）に報知したイベントに関する情報を、報知イベントデータ９Ｆとしてストレージ９に格納する。図２は、報知したイベントのデータの一例（報知イベントデータ９Ｆ）を示す図である。図２に示す例では、報知イベントデータ９Ｆは、イベント発生時刻、イベント内容、及び応答の有無が相互に関連付けられた状態で構成される。イベント内容は、例えば、メール受信、電話の着信、スケジュールのポップアップ通知などに該当する。応答の有無は、例えば、イベントがメール受信であれば、受信メールが既読の状態であれば応答あり、未読の状態であれば応答なしになり、イベントが電話の着信であれば、着信に応答すれば応答あり、不在着信となれば応答なしになり、スケジュールのポップアップ通知であれば、ポップアップアイコンへの操作があれば応答あり、ポップアップアイコンへの操作がなければ応答なしになる。制御プログラム９Ａは、例えば、加速度パターンについて、移動パターンから停止パターンへの変化を検出した場合、移動状態と判別しているとき（移動モードで動作中）に報知したイベントがあるかどうかを判定する。制御プログラム９Ａは、判定の結果、移動状態と判別しているとき（移動モードで動作中）に報知したイベントがある場合には、報知したイベントに対して利用者の応答がないイベントがあるかどうかを判定する。制御プログラム９Ａは、判定の結果、報知したイベントに対して利用者の応答がないイベントがある場合には、該当するイベントを再報知する。
【００３０】
電話アプリケーション９Ｂは、無線通信による通話のための通話機能を提供する。メールアプリケーション９Ｃは、電子メールの作成、送信、受信、及び表示等のための電子メール機能を提供する。スケジュール管理アプリケーション９Ｄは、スケジュールに関する各種情報を提供するための機能を提供する。スケジュール管理アプリケーション９Ｄは、例えば、利用者により登録されたスケジュールのポップアップ通知を実行する。加速度パターンデータ９Ｅは、移動パターンに対応する加速度パターンの変化の情報、及び停止パターンに対応する加速度パターンの変化の情報をそれぞれ含む。報知イベントデータ９Ｆは、移動状態と判別しているとき（移動モードで動作中）に報知したイベントに関する情報を含む（図２参照）。ストレージ９は、図１に示すもの以外に、メモアプリケーション、ブラウザアプリケーション、ナビゲートアプリケーション、音楽プレイヤーアプリケーション、動画再生アプリケーション、計算機アプリケーション、付箋アプリケーションなどが格納されていてもよい。
【００３１】
設定データ９Ｚは、スマートフォン１の動作に関する各種設定の情報を含む。本実施形態において、設定データ９Ｚには、例えば、現在の動作モードの情報（移動モード又は停止モード）が含まれる。
【００３２】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３３】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、及び加速度センサ１５を含むが、これらに限定されない。
【００３４】
コントローラ１０は、制御プログラム９Ａを実行することにより、例えば、スマートフォン１の各種制御に関する処理を実行する。コントローラ１０は、制御プログラム９Ａを実行することにより、例えば、加速度センサ１５の検出結果に基づいて移動状態を判別する処理を実行する。コントローラ１０は、制御プログラム９Ａを実行することにより、例えば、利用者の移動状態に対応する動作モードで処理を実行する。コントローラ１０は、制御プログラム９Ａを実行することにより、例えば、加速度パターンの変化が検出された場合、動作モードを変更するかどうかを判定する処理を実行する。コントローラ１０は、制御プログラム９Ａを実行することにより、例えば、移動状態と判別しているときに報知したイベントに対して利用者の応答がない場合には、イベントを再報知する。
【００３５】
スピーカ１１は、音出力部である。スピーカ１１は、コントローラ１０から送信される音信号を音として出力する。スピーカ１１は、例えば、着信音及び音楽を出力するために用いられる。レシーバ７及びスピーカ１１の一方が、他方の機能を兼ねてもよい。
【００３６】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態でスマートフォン１に実装されてもよい。
【００３７】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００３８】
加速度センサ１５は、スマートフォン１に作用する加速度の方向および大きさに基づいて、スマートフォン１の振動及び動きを検出する。加速度センサ１５は、スマートフォン１の振動及び動きの検出結果に対応する信号を発生させる。発生した信号は、コンローラ１０へ入力される。加速度センサ１５は、加速度検出部の一例である。加速度センサ１５の代わりに、加速度センサ１５、方位センサ及びジャイロスコープを機能的及び物理的に統合した検出ユニットをスマートフォン１に実装してもよい。
【００３９】
ＧＰＳ受信機１８は、ＧＰＳ衛星からの所定の周波数帯の電波信号を受信し、受信した電波信号の復調処理を行って、処理後の信号をコントローラ１０に送出する。
【００４０】
スマートフォン１は、上記の各機能部の他、バイブレータなどを備えてもよい。バイブレータは、スマートフォン１の一部又は全体を振動させる。バイブレータは、振動を発生させるために、例えば、圧電素子、又は偏心モータなどを有する。バイブレータによる振動は、着信等の各種のイベントを利用者に報知するために用いられる。本実施形態において、バッテリなど、スマートフォン１の機能を維持するために当然に用いられる機能部はスマートフォン１に実装される。
【００４１】
図３〜図５を用いて、本実施形態に係るスマートフォン１による処理の流れを説明する。図３〜図５は、本実施形態に係るスマートフォン１による処理の流れを示すフローチャートである。図３〜図５に示す処理は、コントローラ１０が、ストレージ９に記憶されている制御プログラム９Ａなどを実行することにより実現される。図３〜図５に示す処理は、それぞれが並列に実行される。
【００４２】
図３を用いて、本実施形態に係る動作モードの変更処理の流れを説明する。図３に示すように、コントローラ１０は、加速度パターンの変化が検出されたかを判定する（ステップＳ１０１）。本実施形態では、コントローラ１０は、加速度センサ１５の検出結果に基づいて、加速度パターンが移動パターンから停止パターンに変化したか、又は加速度パターンが停止パターンから移動パターンに変化したかを検出する。
【００４３】
コントローラ１０は、判定の結果、加速度パターンの変化が検出されない場合には（ステップＳ１０１，Ｎｏ）、現在の動作モードを継続する（ステップＳ１０２）。続いて、コントローラ１０は、処理を終了するか否かを判定する（ステップＳ１０３）。処理を終了する場合には、例えば、電源ＯＦＦ、ユーザによる処理終了操作などがある。
【００４４】
コントローラ１０は、判定の結果、処理を終了する場合には（ステップＳ１０３，Ｙｅｓ）、図３に示す処理を終了する。これとは反対に、コントローラ１０は、処理を終了しない場合には（ステップＳ１０３，Ｎｏ）、上記ステップＳ１０１の処理手順に戻り、加速度パターンの変化の検出を実行する。
【００４５】
上記ステップＳ１０１において、コントローラ１０は、判定の結果、加速度パターンの変化が検出された場合には（ステップＳ１０１，Ｙｅｓ）、検出された変化後の加速度パターンが一定時間以上継続しているかを判定する（ステップＳ１０４）。
【００４６】
コントローラ１０は、判定の結果、検出された変化後の加速度パターンが一定時間以上継続している場合には（ステップＳ１０４，Ｙｅｓ）、現在の動作モードを他のモードに変更する（ステップＳ１０５）。本実施形態では、コントローラ１０は、現在の動作モードが移動モードであった場合には停止モードに変更し、現在の動作モードが停止モードである場合には移動モードに変更する。続いて、コントローラ１０は、上記ステップＳ１０３の処理手順に移る。
【００４７】
一方、コントローラ１０は、判定の結果、検出された変化後の加速度パターンが一定時間以上継続していない場合には（ステップＳ１０４，Ｎｏ）、上記ステップＳ１０２に移り、現在の動作モードを継続する。
【００４８】
図４を用いて、本実施形態に係るイベント情報の記録処理の流れを説明する。図４に示すように、コントローラ１０は、イベントが発生したかを判定する（ステップＳ２０１）。
【００４９】
コントローラ１０は、判定の結果、イベントが発生した場合には（ステップＳ２０１，Ｙｅｓ）、発生したイベントを報知する（ステップＳ２０２）。続いて、コントローラ１０は、現在の動作モードが移動モードであるかを判定する（ステップＳ２０３）。
【００５０】
コントローラ１０は、判定の結果、現在の動作モードが移動モードである場合には（ステップＳ２０３，Ｙｅｓ）、ステップＳ２０２で報知したイベントの情報をストレージ９に記録する（ステップＳ２０４）。本実施形態において、コントローラ１０は、イベントの情報として、イベント発生時刻、イベント内容、及び応答の有無を相互に関連付けて記録する（図２参照）。続いて、コントローラ１０は、処理を終了するかを判定する（ステップＳ２０５）。処理を終了する場合には、例えば、電源ＯＦＦ、ユーザによる処理終了操作などがある。
【００５１】
コントローラ１０は、判定の結果、処理を終了する場合には（ステップＳ２０５，Ｙｅｓ）、図４に示す処理を終了する。これとは反対に、コントローラ１０は、処理を終了しない場合には（ステップＳ２０５，Ｎｏ）、上記ステップＳ２０１の処理手順に戻り、イベントが発生したかの判定を実行する。
【００５２】
上記ステップＳ２０３において、コントローラ１０は、判定の結果、現在の動作モードが移動モードではない場合には（ステップＳ２０３，Ｎｏ）、上記ステップＳ２０５の処理手順に移る。
【００５３】
上記ステップＳ２０１において、コントローラ１０は、判定の結果、イベントが発生していない場合には（ステップＳ２０１，Ｎｏ）、上記ステップＳ２０５の処理手順に移る。
【００５４】
図５を用いて、本実施形態に係るイベントの再報知処理の流れを説明する。図５に示すように、コントローラ１０は、加速度パターンについて、移動パターンから停止パターンへの変化が検出されたかを判定する（ステップＳ３０１）。
【００５５】
コントローラ１０は、判定の結果、移動パターンから停止パターンへの変化が検出された場合には（ステップＳ３０１，Ｙｅｓ）、ストレージ９に記憶されている報知イベントデータ９Ｆを参照して、移動モード中に発生したイベントがあるかを判定する（ステップＳ３０２）。
【００５６】
コントローラ１０は、判定の結果、移動モード中に発生したイベントがある場合には（ステップＳ３０２，Ｙｅｓ）、移動モード中に発生したイベントの中で、利用者の応答のないイベントがあるかを判定する（ステップＳ３０３）。
【００５７】
コントローラ１０は、判定の結果、利用者の応答のないイベントがある場合には（ステップＳ３０３，Ｙｅｓ）、応答のないイベントを再報知する（ステップＳ３０４）。続いて、コントローラ１０は、処理を終了するかを判定する（ステップＳ３０５）。処理を終了する場合には、例えば、電源ＯＦＦ、ユーザによる処理終了操作などがある。
【００５８】
コントローラ１０は、判定の結果、処理を終了する場合には（ステップＳ３０５，Ｙｅｓ）、図５に示す処理を終了する。これとは反対に、コントローラ１０は、処理を終了しない場合には（ステップＳ３０５，Ｎｏ）、上記ステップＳ３０１の処理手順に戻り、移動パターンから停止パターンへの変化が検出されたかの判定を実行する。
【００５９】
上記ステップＳ３０３において、コントローラ１０は、判定の結果、利用者の応答のないイベントがない場合には（ステップＳ３０３，Ｎｏ）、上記ステップＳ３０５の処理手順に移る。
【００６０】
上記ステップＳ３０２において、コントローラ１０は、判定の結果、移動モード中に発生したイベントがない場合には（ステップＳ３０２，Ｎｏ）、上記ステップＳ３０５の処理手順に移る。
【００６１】
上記ステップＳ３０１において、コントローラ１０は、判定の結果、移動パターンから停止パターンへの変化が検出されない場合には（ステップＳ３０１，Ｎｏ）、上記ステップＳ３０５の処理手順に移る。
【００６２】
本実施形態では、スマートフォン１が、加速度パターンについて、移動パターンから停止パターンへの変化を検出した場合、移動状態と判別しているとき（移動モードで動作中）に報知したイベントがあるかどうかを判定する。続いて、スマートフォン１が、移動状態と判別しているとき（移動モードで動作中）に報知したイベントがある場合には、報知したイベントに対して利用者の応答がないイベントがあるかどうかを判定する。続いて、スマートフォン１が、判定の結果、報知したイベントに対して利用者の応答がないイベントがある場合には、該当するイベントを再報知する。このようなことから、本実施形態によれば、移動中に発生したイベントに関する情報を利用者にできるだけ迅速かつ確実に認識させることができる。
【００６３】
本実施形態では、スマートフォン１が、利用者の移動状態に対応する移動モードで動作中に発生したイベントに関して再報知を実行する。スマートフォン１は、例えば、移動モードから停止モードへ動作モードを変更させない時間だけ移動を停止した場合、スマートフォン１は、利用者の実際の動作状態に関わらず、移動モードでの処理を継続する。このため、本実施形態では、スマートフォン１は、利用者が移動を継続すると推測される状況下であっても、一時的に移動を停止する瞬間を積極的にとらえて、利用者の移動中に発生したイベントの中で応答していないイベントを再報知することができる。
【００６４】
上記の実施形態では、添付の請求項に係る装置の例として、スマートフォンについて説明したが、添付の請求項に係る装置は、スマートフォンに限定されない。添付の請求項に係る装置は、イベントの報知する機能を備え、利用者に携帯される携帯電話、タブレットなどの電子機器であれば、スマートフォン以外の装置であってもよい。
【００６５】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００６６】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  電話アプリケーション
９Ｃ  メールアプリケーション
９Ｄ  スケジュール管理アプリケーション
９Ｅ  加速度パターンデータ
９Ｆ  報知イベントデータ
９Ｚ  設定データ
１０  コントローラ
１１  スピーカ
１２  カメラ
１３  カメラ
１４  コネクタ
１５  加速度センサ
１８  ＧＰＳ受信機
【図１】
2015211278.tif 000003
【図２】
2015211278.tif 000004
【図３】
2015211278.tif 000005
【図４】
2015211278.tif 000006
【図５】
2015211278.tif 000007